(57)【要約】【課題】地図に反映されなかった地図変更情報をユーザーが確認可能な地図表示システムを提供する。【解決手段】地図表示システムは、地図データを記録する記録部を備える。記録部にアクセスする第１使用者側制御部と、地図データに基づいて通常地図画面と投稿用地図画面と確認用地図画面（第３表示画面３００）とを表示する第１使用者側表示部と、地図データに基づく地図上の特定スポットのコンテンツを変更して通常地図画面上の地図に反映させるための地図変更情報の入力に使用される第１使用者側入力部とを有する第１使用者側クライアントを備える。投稿用地図画面は、地図変更情報の入力を行うために使用される画面である。確認用地図画面は、地図変更情報が通常地図画面上の地図に反映されたか否かを確認するための画面である。地図変更情報を通常地図画面上の地図に反映させない場合には、確認用地図画面上の地図に地図変更情報を表示する。地図変更情報を通常地図画面上の地図に反映させる場合には、確認用地図画面上の地図に地図変更情報を表示しない。【選択図】図９
2008158731.tif 000002
【特許請求の範囲】
【請求項１】
地図データを記録する記録部と、
前記記録部にアクセスする第１使用者側制御部と、前記地図データに基づいて通常地図画面と投稿用地図画面と確認用地図画面とを表示する第１使用者側表示部と、前記地図データに基づく地図上の特定スポットのコンテンツを変更して前記通常地図画面上の地図に反映させるための地図変更情報の入力に使用される第１使用者側入力部とを有する第１使用者側クライアントとを備え、
前記投稿用地図画面は、前記地図変更情報の入力を行うために使用される画面であり、
前記確認用地図画面は、前記地図変更情報が前記通常地図画面上の地図に反映されたか否かを確認するための画面であり、前記地図変更情報を前記通常地図画面上の地図に反映させない場合には、前記確認用地図画面上の地図に前記地図変更情報を表示し、前記地図変更情報を前記通常地図画面上の地図に反映させる場合には、前記確認用地図画面上の地図に前記地図変更情報を表示しないことを特徴とする地図表示システム。
【請求項２】
前記記録部にアクセスする第２使用者側制御部と、前記地図変更情報が表示された前記投稿用地図画面を表示する第２使用者側表示部と、前記投稿用地図画面において前記地図変更情報の正否に関する情報を入力するために使用される第２使用者側入力部とを有する第２使用者側クライアントとをさらに備え、
前記地図変更情報の反映を行うか否かは、第２使用者側入力部を介して入力された前記地図変更情報の正否に関する情報と、前記通常地図画面の地図に掲載する基準とに基づいて判断されることを特徴とする請求項１に記載の地図表示システム。
【請求項３】
前記投稿用地図画面は、前記地図変更情報を、前記地図変更情報が入力されてから前記地図変更情報の反映が行われるまでの段階に応じたアイコンで表示し、
前記確認用地図画面は、前記地図変更情報を、前記地図変更情報の種類に応じたアイコンで表示することを特徴とする請求項１に記載の地図表示システム。
【請求項４】
前記投稿用地図画面は、前記段階に応じたアイコンに加えて、前記確認用地図画面において前記地図変更情報の種類に応じて表示されるアイコンを混在させて表示することを特徴とする請求項３に記載の地図表示システム。
【請求項５】
前記第１使用者側表示部は、前記投稿用地図画面と、前記確認用地図画面とを同一画面に並べて表示することを特徴とする請求項１に記載の地図表示システム。
【請求項６】
地図データを記録する記録部と、
前記記録部にアクセスする第１使用者側制御部と、前記地図データに基づいて通常地図画面と投稿用地図画面とを表示する第１使用者側表示部と、前記地図データに基づく地図上の特定スポットのコンテンツを変更して前記通常地図画面上の地図に反映させるための地図変更情報の入力に使用される第１使用者側入力部とを有する第１使用者側クライアントとを備え、
前記投稿用地図画面は、前記地図変更情報の入力を行うために使用される画面であり、前記地図変更情報のうちで前記通常地図画面に反映させるか否かを判断する前のものを、前記地図変更情報が入力されてから前記地図変更情報の反映が行われるまでの段階に応じたアイコンで表示し、前記地図変更情報のうちで前記通常地図画面に反映させないものを、前記地図変更情報の種類に応じたアイコンで表示することを特徴とする地図表示システム。
【発明の詳細な説明】
【技術分野】
【０００１】
本発明は、地図表示システムに関し、特にユーザーからの投稿された地図変更情報に応じて表示内容を更新する地図表示システムに関する。
【背景技術】
【０００２】
従来、地図情報の更新のために、ユーザーから通信回線を介して地図変更情報を受け、これに基づいて地図の更新を行う地図表示システムが提案されている。
【０００３】
特許文献１は、地図変更情報を送信したユーザー（提供者）に対する対価を記録する地図表示システムを開示する。
【特許文献１】特開２００２−１３２９０９号公報
【発明の開示】
【発明が解決しようとする課題】
【０００４】
しかし、ユーザーから提供された地図変更情報は地図に反映されない場合もある。地図に反映されなかった地図変更情報は地図上に表示されないため、提供者や提供者以外のユーザーが再度同じ地図変更情報を提供する恐れがある。
【０００５】
したがって本発明の目的は、地図に反映されなかった地図変更情報をユーザーが確認可能な地図表示システムを提供することである。
【課題を解決するための手段】
【０００６】
本発明に係る地図表示システムは、地図データを記録する記録部と、記録部にアクセスする第１使用者側制御部と、地図データに基づいて通常地図画面と投稿用地図画面と確認用地図画面とを表示する第１使用者側表示部と、地図データに基づく地図上の特定スポットのコンテンツを変更して通常地図画面上の地図に反映させるための地図変更情報の入力に使用される第１使用者側入力部とを有する第１使用者側クライアントとを備え、投稿用地図画面は、地図変更情報の入力を行うために使用される画面であり、確認用地図画面は、地図変更情報が通常地図画面上の地図に反映されたか否かを確認するための画面であり、地図変更情報を通常地図画面上の地図に反映させない場合には、確認用地図画面上の地図に地図変更情報を表示し、地図変更情報を通常地図画面上の地図に反映させる場合には、確認用地図画面上の地図に地図変更情報を表示しない。
【０００７】
好ましくは、記録部にアクセスする第２使用者側制御部と、地図変更情報が表示された投稿用地図画面を表示する第２使用者側表示部と、投稿用地図画面において地図変更情報の正否に関する情報を入力するために使用される第２使用者側入力部とを有する第２使用者側クライアントとをさらに備え、地図変更情報の反映を行うか否かは、第２使用者側入力部を介して入力された地図変更情報の正否に関する情報と、通常地図画面の地図に掲載する基準とに基づいて判断される。
【０００８】
また、好ましくは、投稿用地図画面は、地図変更情報を、地図変更情報が入力されてから地図変更情報の反映が行われるまでの段階に応じたアイコンで表示し、確認用地図画面は、地図変更情報を、地図変更情報の種類に応じたアイコンで表示する。
【０００９】
さらに好ましくは、投稿用地図画面は、段階に応じたアイコンに加えて、確認用地図画面において地図変更情報の種類に応じて表示されるアイコンを混在させて表示する。
【００１０】
また、好ましくは、第１使用者側表示部は、投稿用地図画面と、確認用地図画面とを同一画面に並べて表示する。
【００１１】
本発明に係る地図表示システムは、地図データを記録する記録部と、記録部にアクセスする第１使用者側制御部と、地図データに基づいて通常地図画面と投稿用地図画面とを表示する第１使用者側表示部と、地図データに基づく地図上の特定スポットのコンテンツを変更して通常地図画面上の地図に反映させるための地図変更情報の入力に使用される第１使用者側入力部とを有する第１使用者側クライアントとを備え、投稿用地図画面は、地図変更情報の入力を行うために使用される画面であり、地図変更情報のうちで通常地図画面に反映させるか否かを判断する前のものを、地図変更情報が入力されてから地図変更情報の反映が行われるまでの段階に応じたアイコンで表示し、地図変更情報のうちで通常地図画面に反映させないものを、地図変更情報の種類に応じたアイコンで表示する。
【発明の効果】
【００１２】
以上のように本発明によれば、地図に反映されなかった地図変更情報をユーザーが確認可能な地図表示システムを提供することができる。
【発明を実施するための最良の形態】
【００１３】
以下、本実施形態における地図情報更新システムの構成について、図を用いて説明する。本実施形態に係る地図情報更新システム１は、第１〜第Ｎ使用者側クライアントＡ１〜ＡＮ、管理者側クライアントＢ、及びサーバＣを備える（図１参照、Ｎは１以上の整数）。第１〜第Ｎ使用者側クライアントＡ１〜ＡＮ、及び管理者側クライアントＢは、ネットワークを通してサーバＣと通信が可能な状態にある。
【００１４】
第１〜第Ｎ使用者側クライアントＡ１〜ＡＮは、ユーザーが使用するコンピュータで、それぞれ制御部３０Ａ１〜３０ＡＮ、入力部４０Ａ１〜４０ＡＮ、及び表示部５０Ａ１〜５０ＡＮを有する。制御部３０Ａ１〜３０ＡＮは、第１〜第Ｎ使用者側クライアントＡ１〜ＡＮの各部を制御する他、サーバＣとの通信を行う。入力部４０Ａ１〜４０ＡＮは、制御部３０Ａ１〜３０ＡＮを介してサーバＣに送るコマンドを入力するキーボードやポインティングデバイスなどの入力装置である。表示部５０Ａ１〜５０ＡＮは、サーバＣの記録部６０Ｃに記録された地図データに基づく地図情報や、入力部４０Ａ１〜４０ＡＮによる入力情報（地図変更情報、以下スポット情報として説明する）などを有する第１〜第４表示画面１００〜４００を表示する。
【００１５】
第１〜第Ｎ使用者側クライアントＡ１〜ＡＮは、サーバＣの記録部６０Ｃに記録された地図データに基づく地図上の特定スポットのコンテンツを変更して通常地図画面（不図示）上の地図を更新するための地図変更情報（スポット情報）を入力（投稿、投票）するために使用されるコンピュータである。具体的には、第ｎ使用者側クライアントＡｎ（ｎは１以上Ｎ以下の整数）を介して、スポット情報（例えば通常地図画面上の地図に掲載されていない新規開店の飲食店の情報）が入力（投稿）される。入力されたスポット情報は、サーバＣの記録部６０Ｃに記録され、地図データとともに、第１〜第Ｎ使用者側クライアントＡ１〜ＡＮにおける第１〜第４表示画面１００〜４００の表示に使用される。
【００１６】
第ｎ使用者側クライアントＡｎの使用者以外の使用者は、第ｎ使用者側クライアントＡｎを除く、第１〜第Ｎ使用者側クライアントＡ１〜ＡＮの表示部５０Ａ１〜５０ＡＮに表示された表示画面上の地図及びスポット情報（第１表示画面１００、図４参照）を見て、スポット情報の正否を判断し、正しい場合に入力部４０Ａ１〜４０ＡＮを介して正しい旨の入力（投票）を行う。サーバＣの記録部６０Ｃに記録された地図データと、これらの入力（投稿、投票）された地図変更情報とに基づいて、管理者側クライアントＢの管理の下で、最新の状態に更新された地図が通常地図画面上に表示される。
【００１７】
管理者側クライアントＢは、サーバＣの記録部６０Ｃに記録された地図データ及びスポット情報を管理する管理者が使用するコンピュータで、制御部３０Ｂ、入力部４０Ｂ、及び表示部５０Ｂを有する。制御部３０Ｂは、管理者側クライアントＢの各部を制御する他、サーバＣとの通信を行う。入力部４０Ｂは、制御部３０Ｂを介してサーバＣに送るコマンドを入力するキーボードやポインティングデバイスなどの入力装置である。表示部５０Ｂは、サーバＣの記録部６０Ｃに記録された地図データに基づく地図情報や、入力部４０Ｂによる入力情報（スポット情報）などを有する第１〜第４表示画面１００〜４００を表示する。また、表示部５０Ｂは、第１〜第Ｎ使用者側クライアントＡ１〜ＡＮを介して入力（投稿や投票）されたスポット情報を、通常地図画面上の地図に反映（地図データを、該スポット情報に基づいて書き換えること）させるか否かを判断し決定するために使用される検討画面（不図示）を表示する。
【００１８】
サーバＣは、制御部３０Ｃ、及び記録部６０Ｃを有する。制御部３０Ｃは、サーバＣの各部を制御する他、第１〜第Ｎ使用者側クライアントＡ１〜ＡＮ、及び管理者側クライアントＢと通信を行う。記録部６０Ｃは、第１〜第Ｎ使用者側クライアントＡ１〜ＡＮを使って情報提供が行われたスポット情報、地図データ、及び地図データ等を第１〜第Ｎ使用者側クライアントＡ１〜ＡＮ、及び管理者側クライアントＢの表示部５０Ａ１〜５０ＡＮ、及び５０Ｂに表示するための第１〜第４表示画面１００〜４００を記録する。但し、第１〜第４表示画面１００〜４００は、記録部６０Ｃに記録せず、第１〜第Ｎ使用者側クライアントＡ１〜ＡＮ、及び管理者側クライアントＢが、記録部６０Ｃから取得した地図データ、スポット情報に基づいて表示を行っても良い。
【００１９】
次に、第１〜第４表示画面１００〜４００について説明する（図２〜図１０参照）。第１〜第４表示画面１００〜４００上で、下線部を引いて記載された部分はリンクが設けられており、かかる部分をクリックすることにより、関係ページへの画面表示切り替えなどが行われる。
【００２０】
第１表示画面（投稿用地図画面）１００は、地図データ及びスポット情報に基づいて、使用者により指定された地域の地図を表示する画面で、地図上には、第１〜第Ｎ使用者側クライアントＡ１〜ＡＮを介して投稿されたスポット情報が、投稿情報の状況に応じた（スポット情報が投稿されてからスポット情報の通常地図画面上の地図への反映が行われるまでの段階に応じた）４種類のアイコン（ＭＡ１〜ＭＡ６）で表示される（図２参照）。第１表示画面１００は、第１〜第９投稿用地図表示領域１１０〜１９０を有する。アイコンは、地図データに基づく地図と別レイヤで構成される。
【００２１】
第１投稿用地図表示領域１１０は、第１表示画面１００が、第１〜第Ｎ使用者側クライアントＡ１〜ＡＮのユーザーによりスポット情報が入力されるための地図等が表示されている旨を示す情報（みんなで作ろう“○○○○地図情報”）を表示する。
【００２２】
第２投稿用地図表示領域１２０は、第１表示画面１００を説明する記載領域、第１表示画面１００の内容を更に詳しく説明する画面への切り替えリンク、投稿や投票に参加する者の一覧を表示する第４画面４００への切り替えリンク、及びこの地図情報をメールを使って他者に通知する画面への切り替えリンクを表示する。第４画面４００への切り替えリンクをクリックすることにより、第４画面４００の表示（図１０参照）に切り替えられる。
【００２３】
第４表示画面４００は、第９投稿用地図表示領域１９０に表示された投稿者ランキングの詳細であり、登録スポット数や参加日時に応じて並べ替えが可能な状態で、投稿者情報（名称とイラスト）、登録スポット数、参加日時などが表示される。
【００２４】
第３投稿用地図表示領域１３０は、現在第４投稿用地図表示領域１４０で表示する地域の記載領域、第４投稿用地図表示領域１４０で表示する地域またはスポット（既に投稿されたスポット情報）を検索する領域、及びスポット情報の投稿を行う第２表示画面２００に画面切り替えを行うためのボタン１３１を表示する。ボタン１３１がクリックされると、第２表示画面２００の表示に切り替えられる。
【００２５】
第４投稿用地図表示領域１４０は、指定された地域の地図と、その上に、投稿されたスポット情報を、投稿情報の状況に応じた４種類のアイコンで表示する（ＭＡ１〜ＭＡ６参照）。本実施形態では、東京都港区六本木６丁目に似せた地図を、指定された領域の地図として表示する。なお、地図上の地名などの文字表記は省略している。
【００２６】
“Ｆｉｘｅｄ”と書かれた看板形状を有する更新済アイコンＭＡ１は、通常地図画面上の地図に反映（掲載）することが決定したスポット情報を意味するアイコンであり、通常地図画面上の地図に反映された後の第１時間経過後には、表示されない。カーソルＣＳを更新済アイコンＭＡ１上に移動させると、更新済アイコンＭＡ１が拡大表示され、近くに更新済アイコンＭＡ１に対応するスポットに関する情報を有する地図更新済コメント画面ＰＵ１がポップアップ表示される（図３参照）。
【００２７】
“ＮＥＷ”と書かれた看板を持つ人の形状を有する新着投稿アイコンＭＡ２は、現時点から第２時間前までに新規に投稿されたスポット情報を意味するアイコンである。カーソルＣＳを新着投稿アイコンＭＡ２上に移動させると、新着投稿アイコンＭＡ２が拡大表示され、近くに新着投稿アイコンＭＡ２に対応するスポットに関する情報と、地図に掲載するための投票を行うボタンＢＵ１とを有する新着未確認投稿コメント画面ＰＵ２がポップアップ表示される（図４参照）。
【００２８】
両手を上げた人の形状を有する確認済アイコンＭＡ３（ＭＡ５も同様）は、投稿されたスポット情報で、通常地図画面上の地図に反映させるための投票（スポット情報が正しいことを示す投稿者以外のユーザーからの入力）が一定数量得られたスポット情報を意味するアイコンである。カーソルＣＳを確認済アイコンＭＡ３上に移動させると、確認済アイコンＭＡ３が拡大表示され、近くに確認済アイコンＭＡ３に対応するスポットに関する情報を有する確認済コメント画面ＰＵ３がポップアップ表示される（図５参照）。但し、一定数量の投票が得られる条件として、投稿されてから第２時間よりも長い一定時間（第３時間）が経過するまでに限定する形態であってもよい。
【００２９】
なお、一定数量の値は、“新しくできる”、“もうすぐなくなる”、“もうすぐ名称が変わる”、“以前からある”、“既にない”、及び“名称が違う”のいずれかから選択されるスポット情報の種類に応じて０以上の整数が設定される。
【００３０】
通常地図画面上の地図に掲載するための投票が一定数量得られたスポット情報であって、管理者側クライアントＢを使用する管理者の判断（制御部３０Ｂによる計算でもよい）により、地図上の周辺との兼ね合い等から掲載が見送られる場合には、その旨を確認済コメント画面ＰＵ３に記載する（図６参照）。この場合は、確認済アイコンＭＡ３に対応するスポット情報は、掲載が見送られた時点から第４時間経過後には、第１表示画面１００上の表示から消去され、第３表示画面（確認用地図画面、お役立ちマップ）３００上に、施設種類毎のアイコンで表示される（図９参照）。また確認済コメント画面ＰＵ３には、クリックされると第３表示画面（お役立ちマップ）３００への画面切り替えされるリンクが表示される（確認済コメント画面ＰＵ３内の下線を引いた“お役立ちマップ”記載部分）。
【００３１】
これにより、通常地図画面上の地図への掲載が見送られたスポット情報についても、第３表示画面３００上に表示されるため、第１〜第Ｎ使用者側クライアントＡ１〜ＡＮの使用者は、通常地図画面上の地図への掲載は見送られたものの、サーバＣの記録部６０Ｃには記録されていることを認識することが可能になり、繰り返し同じスポット情報が投稿されるのを防止することが可能になる。
【００３２】
両手を下げた人の形状を有する未確認アイコンＭＡ４（ＭＡ６も同様）は、投稿されたスポット情報で投稿されてから第２時間が経過して新着投稿アイコンから変化したアイコンであり、通常地図画面上の地図に掲載するための投票が一定数量得られていないスポット情報を意味するアイコンである。カーソルＣＳを未確認アイコンＭＡ４上に移動させると、未確認アイコンＭＡ４が拡大表示され、近くに未確認アイコンＭＡ４に対応するスポットに関する情報と、地図に掲載するための投票を行うボタンＢＵ４とを有する未確認投稿コメント画面ＰＵ４がポップアップ表示される（図７参照）。
【００３３】
第５投稿用地図表示領域１５０は、投稿情報の状況に応じた４種類のアイコン（新着投稿アイコン、未確認アイコン、確認済アイコン、及び更新済アイコン）を説明する記載を表示する。
【００３４】
第５投稿用地図表示領域１５０の下には、第３表示画面３００への画面表示切り替えのためのリンク１５５が表示される。リンク１５５がクリックされると、第３表示画面３００への画面表示切り替えが行われる。
【００３５】
第６投稿用地図表示領域１６０は、投稿や投票に関するアクセスなどの数に関する情報を表示する。第７投稿用地図表示領域１７０は、第８投稿用地図表示領域１８０で一度に表示する件数や、表示順序を選択する情報を表示する。
【００３６】
第８投稿用地図表示領域１８０は、第４投稿用地図表示領域１４０上に表示されている投稿情報の状況に応じたアイコン（ＭＡ１〜ＭＡ６）に対応するスポット情報を一覧表示（リスト表示）する領域で、アイコン、施設名称、写真などが記載される。アイコンや施設名称などを記載する領域をクリックすると、対応するスポット情報の詳細が別画面表示（不図示）される。スポット情報の詳細画面では、スポット情報に関する内容（場所、投票の有無）に加えて、このスポット情報に対するコメントを書き込むことが可能である。
【００３７】
第９投稿用地図表示領域１９０は、投稿者の投稿数上位者に関する情報を表示する。“もっと見る”と記載されたリンクをクリックすることにより、投稿数上位者に関する詳細な情報である第４画面４００の表示（図１０参照）に切り替えられる。
【００３８】
第２表示画面２００は、使用者によりスポット情報の投稿を行うための画面である（図８参照）。第２表示画面２００は、第１〜第４スポット情報入力用表示領域２１０〜２４０を有する。
【００３９】
第１スポット情報入力用表示領域２１０は、第２表示画面２００が、第１〜第Ｎ使用者側クライアントＡ１〜ＡＮのユーザーにより更新する対象であるスポット情報を入力するため地図等が表示されている旨を示す情報（スポット情報の作成）を表示する。
【００４０】
第２スポット情報入力用表示領域２２０は、第２表示画面２００に切り替えられる前の画面（第１表示画面１００）上の地図を含み更新する対象であるスポット情報の位置を特定するための入力画面を表示する。第３スポット情報入力用表示領域２３０は、更新する対象のスポット情報の内容を特定するための入力画面を表示する。第３スポット情報入力用表示領域２３０で特定される、“新しくできる”、“もうすぐなくなる”、“もうすぐ名称が変わる”、“以前からある”、“既にない”、及び“名称が違う”のいずれかから選択されるスポット情報の種類に応じて、通常地図画面上の地図に掲載するために必要な投票数（閾値）となる一定数量の値が設定される。
【００４１】
第４スポット情報入力用表示領域２４０は、入力内容の確認ボタンや、戻るボタンを有する。確認ボタンがクリックされると、入力内容の確認画面（不図示）に切り替えられ、確認後に、スポット情報の入力が完了され、スポット情報の内容が記録部６０Ｃに記録され、以降に表示された第１表示画面１００上に反映される。戻るボタンがクリックされると、第２表示画面２００を表示する前の表示状態に切り替えられる。
【００４２】
第３表示画面（確認用地図画面、お役立ちマップ）３００は、投稿され一定数量の投票を得たスポット情報の中で、通常地図画面上の地図への掲載が見送られたものを第３表示画面３００内の地図上に施設種類毎にアイコン表示する（図９参照）。第３表示画面３００は、第１〜第９確認用地図表示領域３１０〜３９０を有する。
【００４３】
第１確認用地図表示領域３１０は、第３表示画面３００が、地図上には、第１〜第Ｎ使用者側クライアントＡ１〜ＡＮを介して投稿されたスポット情報のうちで一定数量の投票数を得たが地図掲載の採用が見送られたものが表示される旨を示す情報（みんなで作ろう“○○○○地図情報”  お役立ちマップ編）を表示する。
【００４４】
第２確認用地図表示領域３２０は、第３表示画面３００を説明する記載領域、第３表示画面３００の内容を更に詳しく説明する画面への切り替えリンク、投稿や投票に参加する者の一覧を表示する第４画面４００への切り替えリンク、及びこの地図情報をメールを使って他者に通知する画面への切り替えリンクを表示する。第４画面４００への切り替えリンクをクリックすることにより、第４画面の表示（図１０参照）に切り替えられる。
【００４５】
第３確認用地図表示領域３３０は、現在第４確認用地図表示領域３４０で表示する地域の記載領域、第４確認用地図表示領域３４０で表示する地域またはスポット（既に投稿されたスポット情報）を検索する領域、及び第１表示画面１００に画面切り替えを行うためのリンク３３１を表示する。リンク３３１がクリックされると、第１表示画面１００の表示に切り替えられる。
【００４６】
第４確認用地図表示領域３４０は、指定された地域の地図と、その上に、投稿されたスポット情報のうちで一定数量の投票数を得たが通常地図画面上の地図への掲載が見送られたものを、施設種類毎に応じた３種類のアイコンで表示する（ＭＢ１〜ＭＢ４参照）。本実施形態では、東京都港区六本木６丁目に似せた地図を、指定された領域の地図として表示する。なお、地図上の地名などの文字表記は省略している。
【００４７】
本実施形態では、施設種類毎に応じたアイコンとして、鞄のマークを有するホテル・宿泊施設アイコン（ＭＢ１、ＭＢ２）、ビデオカメラのマークを有するスポーツ・レジャー施設アイコン（ＭＢ３）、及びナイフとフォークのマークを有するレストラン・飲食店アイコン（ＭＢ４）を有する。但し、コンビニエンスストアなど、他のマークを有するアイコンを有しても良い。
【００４８】
第１表示画面１００の第４投稿用地図表示領域１４０上に表示された確認済アイコンに対応するスポット情報であって、通常地図画面上の地図への掲載が見送られたものは、第３表示画面３００の第４確認用地図表示領域３４０上に施設種類毎に応じたアイコン表示がされる。本実施形態では、第４投稿用地図表示領域１４０上に表示された確認済アイコンＭＡ３（ホテル１）、ＭＡ５（ホテル２）が、いずれも通常地図画面上の地図への掲載が見送られたものであるとして、対応する位置にホテル・宿泊施設アイコンＭＢ１、ＭＢ２を表示する。
【００４９】
第４確認用地図表示領域３４０上に表示された施設種類毎のアイコンをクリックすると、対応するスポット情報の詳細の画面表示（不図示）が行われる。これにより、通常地図画面上の地図には表示されないスポット情報を確認することが可能になる。
【００５０】
また、投稿され一定数量の投票数を得たスポット情報について、通常地図画面上の地図への掲載が見送られた場合、別のユーザーが再度同じスポット情報を投稿する場合が考えられるが、本実施形態では、通常地図画面表示とは別の第３表示画面３００の第４確認用地図表示領域３４０に、投稿され一定の投票数を得たスポット情報が掲載されているので、このような問題は生じにくいメリットを有する。
【００５１】
第５確認用地図表示領域３５０は、施設種類に応じたアイコンを説明する記載を表示する。
【００５２】
第５確認用地図表示領域３５０の下には、第３表示画面３００で表示された地図への評価・コメントの入力を行うためのリンク３５５や閲覧を行うためのリンク３５６が表示される。リンク３５５がクリックされると、評価・コメントの入力画面（不図示）への画面表示切り替えが行われ、リンク３５６がクリックされると、閲覧画面（不図示）への画面表示切り替えが行われる。
【００５３】
第６確認用地図表示領域３６０は、投稿や投票に関するアクセスなどの数に関する情報を表示する。第７確認用地図表示領域３７０は、第８確認用地図表示領域３８０で一度に表示する件数や、表示順序を選択する情報を表示する。
【００５４】
第８確認用地図表示領域３８０は、第４確認用地図表示領域３４０上に表示されている施設種類に応じたアイコン（ＭＢ１〜ＭＢ４）に対応するスポット情報を一覧表示（リスト表示）する領域で、アイコン、施設名称、写真などが記載される。アイコンや施設名称などを記載する領域をクリックすると、対応するスポット情報の詳細が別画面表示（不図示）される。スポット情報の詳細画面では、スポット情報に関する内容（場所等）に加えて、このスポット情報に対するコメントを書き込むことが可能である。
【００５５】
また、アイコンや施設名称などを記載する領域がクリックされた回数をカウントし、回数が閾値を超えた場合には、管理者などの判断により通常地図画面上の地図への掲載が見送られたものであるが、多くのユーザーが注目する情報であり、重要な情報であるとして、対応するスポット情報について通常地図画面上の地図への掲載を再検討する対象とされてもよい。
【００５６】
第８確認用地図表示領域３８０に表示されたアイコンなどを記載する領域をクリックすることにより表示されるスポット情報の詳細画面において、さらにユーザーによる投稿や投票が可能な状態にあってもよい。この場合の投稿や投票は、主に、対応するスポット情報の修正に関する情報（既にスポット情報に対応するスポットが消滅したなど）が対象にされる。この場合、投稿や投票状態を表すために、第８確認用地図表示領域３８０のスポット情報に対応する施設種類に応じたアイコンなどを記載する領域に、確認済アイコンなどの投稿情報の状況に応じたアイコンを更に表示させてもよい。
【００５７】
第９確認用地図表示領域３９０は、第１表示画面１００に画面切り替えを行うためのリンク３９１を表示する。リンク３９１がクリックされると、リンク３３１がクリックされた場合と同様に、第１表示画面１００の表示に切り替えられる。
【００５８】
なお、本実施形態では、第４投稿用地図表示領域１４０を含む第１表示画面１００と、第４確認用地図表示領域３４０を含む第３表示画面３００とは、別画面として表示される形態を説明したが、第４投稿用地図表示領域１４０に表示された投稿情報の状況に応じたアイコンと、第４確認用地図表示領域３４０に表示された施設種類に応じたアイコンとを見比べるために、第４投稿用地図表示領域１４０と第４確認用地図表示領域３４０とが同一画面上に並べて配置される画面表示を行っても良い（不図示）。この場合、第４投稿用地図表示領域１４０上のスポット情報をリスト表示する第８投稿用地図表示領域１８０と、第４確認用地図表示領域３４０上のスポット情報をリスト表示する第８確認用地図表示領域３８０とについても、第４投稿用地図表示領域１４０などと同一画面上に並べて配置されてもよいが、かかる同一画面上にいずれかを切り替えて表示させてもよい。
【００５９】
また、投稿情報の状況に応じたアイコンと、施設種類に応じたアイコンとを同時に地図上に表示する形態は、上述の第１表示画面１００と第３表示画面３００とを同一画面上に並べて配置する形態に限らない。例えば、第１表示画面１００の第４投稿用地図表示領域１４０に、投稿情報の状況に応じたアイコンに加えて、第４確認用地図表示領域３４０に表示される施設種類に応じたアイコンを混在させて表示させる形態が挙げられる。
【００６０】
次に、第ｎ使用者側クライアントＡｎを介して投稿されたスポット情報が、通常地図画面上の地図に掲載されるまでの流れを図１１のフローチャートを用いて説明する。ステップＳ１１で、第１〜第Ｎ使用者側クライアントＡ１〜ＡＮのいずれかである第ｎ使用者側クライアントＡｎを使って、ユーザー（投稿者）が、スポット情報を入力（投稿）すると、ステップＳ１２で、投稿されたスポット情報がサーバＣの記録部６０Ｃに記録され、以後に第１〜第Ｎ使用者側クライアントＡ１〜ＡＮにおいて第１表示画面１００が表示された場合には、かかるスポット情報が新着投稿アイコン表示されて、投票が可能な状態（投票待ち状態）にされる。また、管理者側クライアントＢにおいて第１表示画面１００が表示された場合には、かかるスポット情報が新着投稿アイコン表示される状態にされ、管理者は管理者側クライアントＢを使って投稿されたスポット情報の内容を確認する。アイコン表示は、投稿後の第２時間経過までは、新着投稿アイコンで行われ、以降は未確認アイコンで表示される。
【００６１】
ステップＳ１３で、管理者により、または管理者側クライアントＢの制御部３０Ｂ（またはサーバＣの制御部３０Ｃ）により、スポット情報の内容が予め定められた表示可能ガイドラインに違反しているか否かが判断される。例えば、スポット情報の内容が個人情報や個人を中傷するものであるなど、掲載されることにより、第三者が不利益を被るような表示や、地図に不必要な表示を除去するためである。
【００６２】
違反している場合は、ステップＳ１４で、かかるスポット情報に対応する新着投稿アイコン表示は消去（スポット情報が記録部６０Ｃから消去）される。違反していない場合は、ステップＳ１５に進められる。
【００６３】
ステップＳ１５で、管理者側クライアントＢの制御部３０Ｂ（またはサーバＣの制御部３０Ｃ）により、投稿されたスポット情報について、第１〜第Ｎ使用者側クライアントＡ１〜ＡＮを介して、一定数量の投票が行われたか否かが判断される。行われていなければ、ステップＳ１５が繰り返される。但し、投稿後の第３時間経過までに、一定数量の投票が行われていなければステップＳ１４に進められる形態であっても良い。行われていれば、第１表示画面１００において、新着投稿アイコンまたは未確認アイコンで表示されていたスポット情報が、確認済アイコンの表示にされ、ステップＳ１６に進められる。
【００６４】
ステップＳ１６で、管理者により、または管理者側クライアントＢの制御部３０Ｂ（またはサーバＣの制御部３０Ｃ）により、スポット情報の内容が予め定められた通常地図画面上の地図への掲載の採用基準内にあるか否かが判断される。基準内にある場合は、ステップＳ１７で、スポット情報が、通常地図画面上の地図掲載に採用され、以降の通常地図画面表示において、スポット情報に関する内容が反映される。また、第１表示画面１００において、確認済みアイコンで表示されていたスポット情報が、更新済アイコンの表示にされる。更新済アイコンの表示は、第１時間経過後には消去される。基準内に無い場合は、ステップＳ１８で、スポット情報が、第３表示画面３００に施設種類毎のアイコン表示が可能な状態にされる（お役立ちマップに掲載される）。
【図面の簡単な説明】
【００６５】
【図１】本実施形態における地図表示システムの構成図である。
【図２】第１表示画面を示す構成図である。
【図３】地図更新済コメント画面がポップアップ表示された第１表示画面を示す構成図である。
【図４】新着未確認投稿コメント画面がポップアップ表示された第１表示画面を示す構成図である。
【図５】確認済コメント画面がポップアップ表示された第１表示画面を示す構成図である。
【図６】通常地図画面上の地図への掲載が見送られる旨の記載を含む確認済コメント画面がポップアップ表示された第１表示画面を示す構成図である。
【図７】未確認投稿コメント画面がポップアップ表示された第１表示画面を示す構成図である。
【図８】第２表示画面を示す構成図である。
【図９】第３表示画面を示す構成図である。
【図１０】第４表示画面を示す構成図である。
【図１１】投稿されたスポット情報が、通常地図画面上の地図に掲載されるまでの流れを示すフローチャートである。
【符号の説明】
【００６６】
１  地図表示システム
Ａ１〜ＡＮ  第１〜第Ｎ使用者側クライアント
Ｂ  管理者側クライアント
Ｃ  サーバ
３０Ａ１〜３０ＡＮ、３０Ｂ、３０Ｃ  制御部
４０Ａ１〜４０ＡＮ、４０Ｂ  入力部
５０Ａ１〜５０ＡＮ、５０Ｂ  表示部
６０Ｃ  記録部
１００〜４００  第１〜第４表示画面
１１０〜１９０  第１〜第９投稿用地図表示領域
２１０〜２４０  第１〜第４スポット情報入力用表示領域
３１０〜３９０  第１〜第９確認用地図表示領域
【図１】
2008158731.tif 000003
【図２】
2008158731.tif 000004
【図３】
2008158731.tif 000005
【図４】
2008158731.tif 000006
【図５】
2008158731.tif 000007
【図６】
2008158731.tif 000008
【図７】
2008158731.tif 000009
【図８】
2008158731.tif 000010
【図９】
2008158731.tif 000011
【図１０】
2008158731.tif 000012
【図１１】
2008158731.tif 000013